(57)【要約】【課題】路面や床面に画像を表示させる際に、通行する人に見やすい画像表示を実現することができるようにする。【解決手段】画像表示ユニット１００の表示画面に表示される画像の向きが、通行する人２０の向きと対応していないと判定した場合、ＣＰＵ１０２は、画像処理回路１０６を制御して、ディスプレイ１１６に表示されている画像の向きを反転させる（ステップＳ１０８）。この結果、表示される画像の向きは、通行する人２０の向きと対応するようになる。【選択図】図４
2011064841.tif 000002
【特許請求の範囲】
【請求項１】
人が通行し得る路面または床面に画像を表示するための画像表示システムであって、
前記路面または床面に埋め込まれ、前記画像を表示する表示画面を有し、前記表示画面に表示される前記画像の向きを変更することが可能な画像表示ユニットと、
前記人が前記路面または床面上を前記画像表示ユニットに向かって通行する場合に、前記画像表示ユニットよりも手前に位置する特定地点を、前記人が通過したか否かを検出する検出ユニットと、
を備え、
前記画像表示ユニットは、前記検出ユニットによって、前記特定地点における前記人の通過を検出した場合において、前記表示画面に表示される前記画像の向きが、通行する前記人の向きと対応していない場合には、対応するように、前記画像の向きを変更することを特徴とする画像表示システム。
【請求項２】
請求項１に記載の画像表示システムにおいて、
前記画像表示ユニットは、前記表示画面に表示される前記画像の向きを、第１の向きと、前記第１の向きとは逆向きの第２の向きと、に変更することが可能であると共に、
前記検出ユニットは、
前記人が前記路面または床面上を前記画像表示ユニットに向かって第３の向きに通行する場合に、前記画像表示ユニットよりも手前に位置する第１の特定地点を、前記人が通過したか否かを検出することが可能な第１のセンサユニットと、
前記人が前記路面または床面上を前記画像表示ユニットに向かって前記第３の向きとは逆向きの第４の向きに通行する場合に、前記画像表示ユニットよりも手前に位置する第２の特定地点を、前記人が通過したか否かを検出することが可能な第２の検出ユニットと、
を備え、
前記画像の向きと通行する前記人の向きとは、前記第１の向きと第３の向きとが対応し、前記第２の向きと第４の向きとが対応する場合に、
前記画像表示ユニットは、
前記第１のセンサユニットによって、前記第１の特定地点における前記人の通過を検出した場合、前記表示画面に表示される前記画像の向きが前記第２の向きであるときには、前記第１の向きに変更し、
前記第２の検出ユニットによって、前記第２の特定地点における前記人の通過を検出した場合、前記表示画面に表示される前記画像の向きが前記第１の向きであるときには、前記第２の向きに変更することを特徴とする画像表示システム。
【請求項３】
人が通行し得る路面または床面に画像を表示するための画像表示システムであって、
前記路面または床面に埋め込まれ、前記画像を表示する表示画面を有し、前記表示画面に表示される前記画像の向きを変更することが可能な画像表示ユニットと、
前記人が前記路面または床面上を前記画像表示ユニットに向かって通行する場合に、前記画像表示ユニットよりも手前に位置する特定地点を、前記人が通過したか否かを検出する検出ユニットと、
を備え、
前記画像表示ユニットは、前記検出ユニットによって、前記特定地点における前記人の通過を検出した場合に、前記表示画面に前記画像の表示を開始すると共に、前記表示画面に表示される前記画像の向きが、通行する前記人の向きと対応するように、前記画像の向きを変更することを特徴とする画像表示システム。
【請求項４】
請求項３に記載の画像表示システムにおいて、
前記画像表示ユニットは、前記表示画面に表示される前記画像の向きを、第１の向きと、前記第１の向きとは逆向きの第２の向きと、に変更することが可能であると共に、
前記検出ユニットは、
前記人が前記路面または床面上を前記画像表示ユニットに向かって第３の向きに通行する場合に、前記画像表示ユニットよりも手前に位置する第１の特定地点を、前記人が通過したか否かを検出することが可能な第１のセンサユニットと、
前記人が前記路面または床面上を前記画像表示ユニットに向かって前記第３の向きとは逆向きの第４の向きに通行する場合に、前記画像表示ユニットよりも手前に位置する第２の特定地点を、前記人が通過したか否かを検出することが可能な第２の検出ユニットと、
を備え、
前記画像の向きと通行する前記人の向きとは、前記第１の向きと第３の向きとが対応し、前記第２の向きと第４の向きとが対応する場合に、
前記画像表示ユニットは、
前記第１のセンサユニットによって、前記第１の特定地点における前記人の通過を検出した場合には、前記表示画面に前記画像の表示を開始すると共に、前記表示画面に表示される前記画像の向きを前記第１の向きにし、
前記第２の検出ユニットによって、前記第２の特定地点における前記人の通過を検出した場合には、前記表示画面に前記画像の表示を開始すると共に、前記表示画面に表示される前記画像の向きを前記第２の向きにすることを特徴とする画像表示システム。
【請求項５】
請求項３または請求項４に記載の画像表示システムにおいて、
前記画像表示ユニットは、前記画像の表示を開始してから所定時間経過した後、前記画像の表示を終了することを特徴する画像表示システム。
【発明の詳細な説明】
【技術分野】
【０００１】
本発明は、路面または床面に埋め込まれた画像表示ユニットを用いて、画像を表示するための画像表示システムに関するものである。
【背景技術】
【０００２】
従来においては、例えば、特許文献１に記載されているように、人が通行する通路上に、画像広告と音声広告とを同時に出力させることが可能な路面広告システムが知られている。
【０００３】
かかる路面広告システムでは、ディスプレイ部の両側に感知センサ部を設け、マイコンが、その感知センサ部から入力される信号を解析し、人が通路に進入したと判断される場合に、メモリ部から読み出した広告画像データをディスプレイ部に出力すると共に、同じくメモリ部から読み出した広告音声データを音声出力部に出力して、画像及び音声による広告を実行するようにしていた。
【先行技術文献】
【特許文献】
【０００４】
【特許文献１】特開２００２−９１３５８号公報
【発明の概要】
【発明が解決しようとする課題】
【０００５】
しかしながら、上記した特許文献１に記載の技術では、路面広告の観点から，ディスプレイ部に、広告画像をどのようにして表示させるかについて具体的には考慮されていなかった。
【０００６】
従って、本発明の目的は、上記した従来技術の問題点を解決し、路面や床面に画像を表示させる際に、通行する人に見やすい画像表示を実現することができる画像表示システムを提供することにある。
【課題を解決するための手段】
【０００７】
本発明は、上述の課題の少なくとも一部を解決するためになされたものであり、以下の形態又は適用例として実現することが可能である。
【０００８】
［適用例１］
人が通行し得る路面または床面に画像を表示するための画像表示システムであって、
前記路面または床面に埋め込まれ、前記画像を表示する表示画面を有し、前記表示画面に表示される前記画像の向きを変更することが可能な画像表示ユニットと、
前記人が前記路面または床面上を前記画像表示ユニットに向かって通行する場合に、前記画像表示ユニットよりも手前に位置する特定地点を、前記人が通過したか否かを検出する検出ユニットと、
を備え、
前記画像表示ユニットは、前記検出ユニットによって、前記特定地点における前記人の通過を検出した場合において、前記表示画面に表示される前記画像の向きが、通行する前記人の向きと対応していない場合には、対応するように、前記画像の向きを変更することを特徴とする画像表示システム。
【０００９】
このように、適用例１の画像表示システムでは、検出ユニットが、人が特定地点を通過したことを検出すると、画像表示ユニットにおける表示画面に表示される画像の向きが、通行する人の向きと対応していない場合には、対応するように、その画像の向きを変更するようにしている。
【００１０】
従って、適用例１の画像表示システムによれば、路面または床面上を通行する人の向きに従って、画像表示ユニットに表示される画像の向きが変更され、対応する向きとなるため、通行する人にとっては、画像の向きは正対した向きとなり、通行する人に対して、見やすい表示画像を提供することができる。
【００１１】
［適用例２］
請求項１に記載の画像表示システムにおいて、
前記画像表示ユニットは、前記表示画面に表示される前記画像の向きを、第１の向きと、前記第１の向きとは逆向きの第２の向きと、に変更することが可能であると共に、
前記検出ユニットは、
前記人が前記路面または床面上を前記画像表示ユニットに向かって第３の向きに通行する場合に、前記画像表示ユニットよりも手前に位置する第１の特定地点を、前記人が通過したか否かを検出することが可能な第１のセンサユニットと、
前記人が前記路面または床面上を前記画像表示ユニットに向かって前記第３の向きとは逆向きの第４の向きに通行する場合に、前記画像表示ユニットよりも手前に位置する第２の特定地点を、前記人が通過したか否かを検出することが可能な第２の検出ユニットと、
を備え、
前記画像の向きと通行する前記人の向きとは、前記第１の向きと第３の向きとが対応し、前記第２の向きと第４の向きとが対応する場合に、
前記画像表示ユニットは、
前記第１のセンサユニットによって、前記第１の特定地点における前記人の通過を検出した場合、前記表示画面に表示される前記画像の向きが前記第２の向きであるときには、前記第１の向きに変更し、
前記第２の検出ユニットによって、前記第２の特定地点における前記人の通過を検出した場合、前記表示画面に表示される前記画像の向きが前記第１の向きであるときには、前記第２の向きに変更することを特徴とする画像表示システム。
【００１２】
このように、適用例２の画像表示システムでは、例えば、路面上または床面上を人が画像表示ユニットに向かって第３の向きに通行して、第１のセンサユニットが第１の特定地点における人の通過を検出すると、画像表示ユニットにおいて、表示される画像の向きが第２の向きである場合には、第３の向きに対応するよう、画像の向きが反転され、画像が第１の向きで表示されるようになる。反対に、例えば、路面上または床面上を人が画像表示ユニットに向かって第４の向きに通行して、第２のセンサユニットが第２の特定地点における人の通過を検出すると、画像表示ユニットにおいて、表示される画像の向きが第１の向きである場合には、第４の向きに対応するよう、画像の向きが反転され、画像が第２の向きで表示されるようになる。
【００１３】
［適用例３］
人が通行し得る路面または床面に画像を表示するための画像表示システムであって、
前記路面または床面に埋め込まれ、前記画像を表示する表示画面を有し、前記表示画面に表示される前記画像の向きを変更することが可能な画像表示ユニットと、
前記人が前記路面または床面上を前記画像表示ユニットに向かって通行する場合に、前記画像表示ユニットよりも手前に位置する特定地点を、前記人が通過したか否かを検出する検出ユニットと、
を備え、
前記画像表示ユニットは、前記検出ユニットによって、前記特定地点における前記人の通過を検出した場合に、前記表示画面に前記画像の表示を開始すると共に、前記表示画面に表示される前記画像の向きが、通行する前記人の向きと対応するように、前記画像の向きを変更することを特徴とする画像表示システム。
【００１４】
このように、適用例３の画像表示システムでは、検出ユニットが、人が特定地点を通過したことを検出すると、画像表示ユニットが、表示画面に画像の表示を開始すると共に、表示画面に表示される画像の向きが、通行する人の向きと対応するように、その画像の向きを変更するようにしている。
【００１５】
従って、本実施例によれば、画像表示ユニットにおいて、路面または床面上を通行する人が画像表示ユニットに近接した際、通行する人の向きに応じた画像の向きで、画像の表示が開始されるため、通行する人にとっては、表示された画像の向きは正対した向きとなり、通行する人に対して、見やすい表示画像を提供することができる。
【００１６】
［適用例４］
適用例３に記載の画像表示システムにおいて、
前記画像表示ユニットは、前記表示画面に表示される前記画像の向きを、第１の向きと、前記第１の向きとは逆向きの第２の向きと、に変更することが可能であると共に、
前記検出ユニットは、
前記人が前記路面または床面上を前記画像表示ユニットに向かって第３の向きに通行する場合に、前記画像表示ユニットよりも手前に位置する第１の特定地点を、前記人が通過したか否かを検出することが可能な第１のセンサユニットと、
前記人が前記路面または床面上を前記画像表示ユニットに向かって前記第３の向きとは逆向きの第４の向きに通行する場合に、前記画像表示ユニットよりも手前に位置する第２の特定地点を、前記人が通過したか否かを検出することが可能な第２の検出ユニットと、
を備え、
前記画像の向きと通行する前記人の向きとは、前記第１の向きと第３の向きとが対応し、前記第２の向きと第４の向きとが対応する場合に、
前記画像表示ユニットは、
前記第１のセンサユニットによって、前記第１の特定地点における前記人の通過を検出した場合には、前記表示画面に前記画像の表示を開始すると共に、前記表示画面に表示される前記画像の向きを前記第１の向きにし、
前記第２の検出ユニットによって、前記第２の特定地点における前記人の通過を検出した場合には、前記表示画面に前記画像の表示を開始すると共に、前記表示画面に表示される前記画像の向きを前記第２の向きにすることを特徴とする画像表示システム。
【００１７】
このように、適用例４の画像表示システムでは、例えば、路面上または床面上を人が画像表示ユニットに向かって第３の向きに通行して、第１のセンサユニットが第１の特定地点における人の通過を検出すると、画像表示ユニットにおいて、第３の向きに対応する第１の向きで画像の表示が開始されるようになる。反対に、例えば、路面上または床面上を人が画像表示ユニットに向かって第４の向きに通行して、第２のセンサユニットが第２の特定地点における人の通過を検出すると、画像表示ユニットにおいて、第４の向きに対応する第２の向きで画像の表示が開始されるようになる。
【００１８】
［適用例５］
適用例３または適用例４に記載の画像表示システムにおいて、
前記画像表示ユニットは、前記画像の表示を開始してから所定時間経過した後、前記画像の表示を終了することを特徴する画像表示システム。
【００１９】
このように、適用例５の画像表示システムでは、表示開始から所定時間経過したら、画像の表示を終了させるため、その分、消費電力を軽減することができる。
【００２０】
なお、本発明は、上記した画像表示システムなどの物の発明の態様に限ることなく、画像表示方法などの方法の発明としての態様で実現することも可能である。
【図面の簡単な説明】
【００２１】
【図１】本発明の第１の実施例としての画像表示システムの断面を模式的に示した断面図である。
【図２】図１における画像表示システムを上方から見て示した平面図である。
【図３】図１における画像表示システムを上方から見て示した平面図である。
【図４】図１における画像表示ユニットの内部構成を示すブロック図である。
【図５】図４の画像メモリからの画像データの読み出し順序とディスプレイに表示される画像の向きとの関係を示す説明図である。
【図６】図１における画像表示システムの処理動作を示すフローチャートである。
【図７】本発明の第２の実施例としての画像表示システムの処理動作を示すフローチャートである。
【図８】本発明の変形例としての画像表示システムを上方から見て示した平面図である。
【発明を実施するための形態】
【００２２】
以下、本発明の実施の形態を実施例に基づいて以下の順序で説明する。
Ａ．第１の実施例：
Ａ−１．実施例の構成：
Ａ−２．実施例の動作：
Ａ−３．実施例の効果：
Ｂ．第２の実施例：
Ｂ−１．実施例の動作：
Ｂ−２．実施例の効果：
Ｃ．変形例：
【００２３】
Ａ．第１の実施例：
Ａ−１．実施例の構成：
図１は本発明の第１の実施例としての画像表示システムの断面を模式的に示した断面図である。本実施例の画像表示システム１０は、図１に示すように、人２０が通行する路面３０に設けられている。なお、人２０が通行する路面３０としては、歩道や、地下道や、アーケード街の道路や、地下街の通路など、種々の路面が考えられる。
【００２４】
図１に示す画像表示システム１０は、路面３０に開けられた凹み４０に埋め込まれた画像表示ユニット１００と、人２０の通行方向に対して、画像表示ユニット１００の前後にそれぞれ近接して配置されたセンサユニット２００Ａ，２００Ｂと、で、主として構成されている。センサユニット２００Ａ，２００Ｂは、それぞれ、ケーブル２２０を介して、画像表示ユニット１００に接続されている。また、画像表示ユニット１００は、透明な保護板３００で覆われており、保護板３００は、画像表示ユニット１００に不要な圧力が加わらないように、画像表示ユニット１００を保護している。なお、保護板３００としては、強化ガラス板や合成樹脂板（ポリカーボネート樹脂板やアクリル樹脂板）などを用いることが可能である。
【００２５】
図２および図３はそれぞれ図１における画像表示システムを上方から見て示した平面図である。これら図に示すように、センサユニット２００Ａ，２００Ｂは、それぞれ、タイル形状を成した複数の圧力センサ２１０を備えている。また、画像表示ユニット１００は、その表示画面が、路面３０に対しほぼ平行となるように配置されており、表示画面の向きは、センサユニット２００Ａ側（図２または図３の左側）が、表示画面下側となり、センサユニット２００Ｂ側（図２または図３の右側）が、表示画面上側となるように、設定されている。
【００２６】
図４は図１における画像表示ユニットの内部構成を示すブロック図である。画像表示ユニット１００は、図４に示すように、後述のメモリ１０４に格納されたコンピュータプログラムを実行することにより、種々の処理や制御を行うＣＰＵ１０２と、上記コンピュータプログラムを格納したり、処理中に得られたデータや情報を一時的に格納したりするためのメモリ１０４と、画像メモリ１０８を有し、その画像メモリ１０８を利用して、後述の画像データに所望の画像処理を施す画像処理回路１０６と、ＣＰＵ１０２等と各種周辺装置との間でデータや情報のやりとりを行うための入出力（Ｉ／Ｏ）インタフェース回路１１０と、所望の画像データを格納しているメモリカード１１２と、そのメモリカード１１２が装着され、そのメモリカード１１２から格納されているデータを読み出すメモリカードリーダ１１４と、画像データに基づいて、所望の画像を表示画面に表示するディスプレイ１１６と、を備えている。
【００２７】
このうち、Ｉ／Ｏインタフェース回路１１０は、周辺装置であるメモリカードリーダ１１４，ディスプレイ１１６，センサユニット２００Ａ，２００Ｂにそれぞれ接続されている。また、ディスプレイ１１６としては、液晶ディスプレイ，プラズマディスプレイ，有機ＥＬディスプレイ，投写型ディスプレイ，ＣＲＴなど、種々の表示装置を用いることができる。また、メモリカード１１２には、画像データとして、広告や、ニュースや、案内などを表示内容とする動画や静止画の画像データが格納されており、そのメモリカード１１２は、予め、管理者（図示せず）の手によって、メモリカードリーダ１１４に装着されている。
【００２８】
Ａ−２．実施例の動作：
図４に示す画像表示ユニット１００において、ＣＰＵ１０２は、メモリカードリーダ１１４によって、メモリカード１１２から格納されている画像データを読み出し、Ｉ／Ｏインタフェース回路１１０を介して画像処理回路１０６に入力する。ＣＰＵ１０２は、画像処理回路１０６を制御して、入力した画像データを、例えば、１フレーム単位ずつ、画像メモリ１０８に書き込んで読み出すと共に、画像データに対し、例えば、画質を向上させるための所望の画像処理を施す。そして、ＣＰＵ１０２は、画像処理回路１０６から出力された画像データを、Ｉ／Ｏインタフェース回路１１０を介してディスプレイ１１６に入力し、その画像データに基づいて、ディスプレイ１１６で画像を表示させる。こうして、画像表示ユニット１００の表示画面には、所望の画像が表示される。
【００２９】
なお、本実施例においては、画像表示ユニット１００は、表示画面に表示される画像の向き（すなわち、ディスプレイ１１６に表示される画像の向き）を変更することが可能である。画像の向きを変更する方法としては、例えば、次のような方法が考えられる。
【００３０】
図５は図４の画像メモリからの画像データの読み出し順序とディスプレイに表示される画像の向きとの関係を示す説明図である。すなわち、画像メモリ１０８に画像データを書き込んだ後、画像メモリ１０８から書き込んだ画像データ（１フレーム分）を読み出す場合、図５（ａ１）に示すように、画像の左上から矢印で示すような順序で読み出すと、ディスプレイ１１６の表示画面には、図５（ａ２）に示すように、画像が表示され、その画像の向きは、表示画面の向きに対して、矢印ａの向きとなる。
【００３１】
一方、図５（ｂ１）に示すように、画像の右下から矢印で示すような順序で読み出すと、ディスプレイ１１６の表示画面には、図５（ｂ２）に示すように、画像が表示され、その画像の向きは、表示画面の向きに対して、図５（ａ２）の場合とは逆向きの矢印ｂの向きとなる。
【００３２】
このように、画像表示ユニット１００において、ＣＰＵ１０２が、画像処理回路１０６を制御して、画像メモリ１０８からの画像データの読み出し順序を変更することによって、ディスプレイ１１６に表示される画像の向きを変更することができる。
【００３３】
ところで、前述したとおり、画像表示ユニット１００において、その表示画面の向きは、センサユニット２００Ａ側（図２または図３の左側）が、表示画面下側となり、センサユニット２００Ｂ側（図２または図３の右側）が、表示画面上側となるように、設定されている。従って、表示画面の向きに対して、画像が、図５（ａ２）に示すように、矢印ａの向きに表示される場合、路面３０上では、画像は、図２に示すごとく、表示されることになる。反対に、画像が、図５（ｂ２）に示すように、矢印ｂの向きに表示される場合、路面３０上では、画像は、図３に示すごとく、表示されることになる。すなわち、図２における矢印ａは、図５（ａ２）に示す矢印ａと一致し、図３における矢印ｂは、図５（ｂ２）に示す矢印ａと一致している。
【００３４】
センサユニット２００Ａ，２００Ｂは、それぞれ、図２または図３に示すように、そのセンサユニットを構成する複数の圧力センサ２１０の何れかが、人２０に踏まれると、その圧力を検出して、検出信号をケーブル２２０を介して画像表示ユニット１００に出力する。画像表示ユニット１００では、図４に示すように、その検出信号をＩ／Ｏインタフェース回路１１０を介してＣＰＵ１０２に入力する。従って、センサユニット２００Ａ，２００Ｂは、それぞれ、そのセンサユニット上を人２０が通過したかどうかを検出することができる。
【００３５】
例えば、図２に示すように、路面３０上を人２０が矢印Ａの向きに通行している場合、人２０は、まず、センサユニット２００Ａ上を通過し、次に、画像表示ユニット１００上を通過して、さらに、センサユニット２００Ｂ上を通過する。従って、この場合、２つのセンサユニット２００Ａ，２００Ｂのうち、センサユニット２００Ａが、最初に人２０の通過を検出することになる。
【００３６】
一方、例えば、図３に示すように、路面３０上を人２０が図２とは逆方向である矢印Ｂ方向に通行する場合は、図２とは逆に、人２０は、まず、センサユニット２００Ｂ上を通過し、次に、画像表示ユニット１００上を通過して、さらに、センサユニット２００Ａ上を通過する。従って、この場合は、センサユニット２００Ｂが、最初に人２０の通過を検出することになる。
【００３７】
なお、実際には、路面３０上を通行する人２０の向きは様々であるため、本実施例においては、２つのセンサユニット２００Ａ，２００Ｂのうち、センサユニット２００Ａが、最初に人２０の通過を検出した場合には、通行しているその人２０の向きは、一律に矢印Ａの向きであると判断するものとし、反対に、センサユニット２００Ｂが、最初に人２０の通過を検出した場合には、通行しているその人２０の向きは、一律に矢印Ｂの向きであると判断するものとする。
【００３８】
図６は図１における画像表示システムの処理動作を示すフローチャートである。そこで、図６に示す処理が開始されると、ＣＰＵ１０２は、まず、センサユニット２００Ａ，２００Ｂのうち、いずれか一方のセンサユニットが、人２０の通過を検出したかどうかを判定する（ステップＳ１０２）。いずれのセンサユニットも人２０の通過を検出していない場合には、検出するまで待機する。
【００３９】
その後、センサユニット２００Ａ，２００Ｂのうち、いずれか一方のセンサユニットが、最初に人２０の通過を検出すると、ＣＰＵ１０２は、画像表示ユニット１００の表示画面に表示される画像の向きが、通行する人２０の向きと対応しているか否かを判定する（ステップＳ１０４）。
【００４０】
このとき、ＣＰＵ１０２は、前述したとおり、２つのセンサユニット２００Ａ，２００Ｂのうち、センサユニット２００Ａが最初に人２０の通過を検出した場合には、通行する人２０の向きを矢印Ａの向きであると判断し、反対に、センサユニット２００Ｂが最初に人２０の通過を検出した場合には、通行する人２０の向きを矢印Ｂの向きであると判断する。
【００４１】
従って、例えば、画像表示ユニット１００の表示画面に、図２に示すように、矢印ａの向きで画像が表示されている場合に、センサユニット２００Ａが最初に人２０の通過を検出したとすると、画像の向きが矢印ａの向きであり、通行する人２０の向きが矢印Ａの向きであり、画像の向きと通行する人２０の向きが同じ向きであるので、両者は対応していると判定する。同様に、例えば、画像表示ユニット１００の表示画面に、図３に示すように、矢印ｂの向きで画像が表示されている場合に、センサユニット２００Ｂが最初に人２０の通過を検出したとすると、画像の向きが矢印ｂの向きであり、通行する人２０の向きが矢印Ｂの向きであり、画像の向きと通行する人２０の向きが同じ向きであるので、両者は対応していると判定する。
【００４２】
このように、画像表示ユニット１００の表示画面に表示される画像の向きが、通行する人２０の向きと対応していると判定した場合、ＣＰＵ１０２は、ディスプレイ１１６に、画像をそのままの向きで表示させ続ける（ステップＳ１０６）。
【００４３】
一方、例えば、画像表示ユニット１００の表示画面に、図２に示すように、矢印ａの向きで画像が表示されている場合に、センサユニット２００Ｂが最初に人２０の通過を検出したとすると、画像の向きが矢印ａの向きであるのに対し、通行する人２０の向きが矢印Ｂの向きであり、画像の向きと通行する人２０の向きが反対向きであるので、両者は対応しないと判定する。同様に、例えば、画像表示ユニット１００の表示画面に、図３に示すように、矢印ｂの向きで画像が表示されている場合に、センサユニット２００Ａが最初に人２０の通過を検出したとすると、画像の向きが矢印ｂの向きであるのに対し、通行する人２０の向きが矢印Ａの向きであり、画像の向きと通行する人２０の向きが反対向きであるので、両者は対応していないと判定する。
【００４４】
このように、画像表示ユニット１００の表示画面に表示される画像の向きが、通行する人２０の向きと対応していないと判定した場合、ＣＰＵ１０２は、画像処理回路１０６を制御して、ディスプレイ１１６に表示されている画像の向きを反転させる（ステップＳ１０８）。この結果、矢印ａの向きに表示されていた画像は、矢印ｂの向きになり、また、矢印ｂの向きに表示されていた画像は、矢印ａの向きになるため、表示される画像の向きは、通行する人２０の向きと対応するようになる。
【００４５】
次に、ＣＰＵ１０２は、図６に示すように、センサユニット２００Ａまたは２００Ｂによる最初の人２０の通過検出から、所定時間経過したかどうかを判定する（ステップＳ１１０）。その結果、未だ所定時間経過していなければ、経過するまで待機する。その後、通過検出から所定時間経過したら、ＣＰＵ１０２は、処理を最初に戻す。
【００４６】
Ａ−３．実施例の効果：
以上説明したように、本実施例では、例えば、図２に示すように、路面３０上を人２０が矢印Ａの向きに通行して、センサユニット２００Ａが最初に人２０の通過を検出すると、画像表示ユニット１００において、表示される画像の向きが矢印ｂの向きである場合には、矢印Ａの向きに対応するよう、画像の向きが反転され、画像が矢印ａの向きで表示される。反対に、例えば、図３に示すように、路面３０上を人２０が矢印Ｂの向きに通行して、センサユニット２００Ｂが最初に人２０の通過を検出すると、画像表示ユニット１００において、表示される画像の向きが矢印ａの向きである場合には、矢印Ｂの向きに対応するよう、画像の向きが反転され、画像が矢印ｂの向きで表示される。従って、本実施例によれば、路面３０上を通行する人２０の向きに従って、画像表示ユニット１００に表示される画像の向きが変更され、対応する向きとなるため、通行する人２０にとっては、画像の向きは正対した向きとなり、通行する人２０に対して、見やすい表示画像を提供することができる。
【００４７】
なお、本実施例において、ステップＳ１１０における所定時間としては、通常の歩行速度で、人２０が路面３０上を通行している場合に、一方のセンサユニットを最初に通過してから、画像表示ユニット１００上を通過するまでに要する時間よりも、長い時間に設定することが好ましい。所定時間をこのような時間に設定することにより、人２０が、一方のセンサユニットを最初に通過してから、画像表示ユニット１００上を通過するまでの間は、表示される画像の向きが変更されることがないため、人２０は、確実に画像表示ユニット１００に表示された画像を視認することができる。
【００４８】
Ｂ．第２の実施例：
上記した実施例においては、画像表示ユニット１００は、画像を常に表示させていたが、本実施例においては、センサユニット２００Ａまたは２００Ｂが人２０の通過を検出した場合にのみ、画像を表示させるようにしている。
【００４９】
なお、本実施例の構成は、第１の実施例の構成と同様であるので、それらについての説明は省略する。
【００５０】
Ｂ−１．実施例の動作：
図７は本発明の第２の実施例としての画像表示システムの処理動作を示すフローチャートである。図７に示す処理が開始されると、ＣＰＵ１０２は、まず、センサユニット２００Ａ，２００Ｂのうち、いずれか一方のセンサユニットが、人２０の通過を検出したかどうかを判定する（ステップＳ２０２）。いずれのセンサユニットも人２０の通過を検出していない場合には、検出するまで待機する。
【００５１】
その後、センサユニット２００Ａ，２００Ｂのうち、いずれか一方のセンサユニットが、最初に人２０の通過を検出すると、ＣＰＵ１０２は、その検出したセンサユニットが、センサユニット２００Ａであるか否かを判定する（ステップＳ２０４）。なお、このとき、本実施例においても、第１の実施例の場合と同様、２つのセンサユニット２００Ａ，２００Ｂのうち、センサユニット２００Ａが、最初に人２０の通過を検出した場合には、通行しているその人２０の向きは、矢印Ａの向きであると判断するものとし、反対に、センサユニット２００Ｂが、最初に人２０の通過を検出した場合には、通行しているその人２０の向きは、矢印Ｂの向きであると判断するものとする。また、通行する人２０の向きが矢印Ａの向きである場合、その向きに対応する画像の向きは、第１の実施例の場合と同様に、矢印ａの向きであり、反対に、通行する人２０の向きが矢印Ｂの向きである場合、その向きに対応する画像の向きは、矢印ｂの向きである。
【００５２】
従って、ステップＳ２０４の判定の結果、検出したセンサユニットが、センサユニット２００Ａである場合には、ディスプレイ１１６での画像の表示を開始すると共に、表示する画像の向きを、矢印Ａの向きに対応する矢印ａの向きとする（ステップＳ２０６）。この結果、画像表示ユニット１００の表示画面には、図２に示すように、矢印ａの向きで画像の表示が開始される。
【００５３】
一方、検出したセンサユニットが、センサユニット２００Ｂである場合には、ディスプレイ１１６での画像の表示を開始すると共に、表示する画像の向きを、矢印Ｂの向きに対応する矢印ｂの向きとする（ステップＳ２０８）。この結果、画像表示ユニット１００の表示画面には、図３に示すように、矢印ｂの向きで画像の表示が開始される。
【００５４】
次に、ＣＰＵ１０２は、図７に示すように、画像の表示開始から、所定時間経過したかどうかを判定する（ステップＳ２１０）。その結果、未だ所定時間経過していなければ、経過するまで待機する。その後、表示開始から所定時間経過したら、ＣＰＵ１０２は、ディスプレイ１１６での画像の表示を終了して（ステップＳ２１２）、処理を最初に戻す。
【００５５】
Ｂ−２．実施例の効果：
以上説明したように、本実施例では、例えば、図２に示すように、路面３０上を人２０が矢印Ａの向きに通行して、センサユニット２００Ａが最初に人２０の通過を検出すると、画像表示ユニット１００において、矢印Ａに対応する矢印ａの向きで画像の表示が開始される。反対に、例えば、図３に示すように、路面３０上を人２０が矢印Ｂの向きに通行して、センサユニット２００Ｂが最初に人２０の通過を検出すると、画像表示ユニット１００において、矢印Ｂに対応する矢印ｂの向きで画像の表示が開始される。表示される画像の向きが矢印ａの向きである場合には、矢印Ｂの向きに対応するよう、画像の向きが反転され、画像が矢印ｂの向きで表示される。従って、本実施例によれば、画像表示ユニット１００において、路面３０上を通行する人２０が画像表示ユニット１００に近接した際、通行する人２０の向きに応じた画像の向きで、画像の表示が開始されるため、通行する人２０にとっては、表示された画像の向きは正対した向きとなり、通行する人２０に対して、見やすい表示画像を提供することができる。また、表示開始から所定時間経過したら、画像の表示を終了させるため、その分、消費電力を軽減することができる。
【００５６】
なお、所定時間としては、本実施例においても、通常の歩行速度で、人２０が路面３０を通行している場合に、一方のセンサユニットを最初に通過してから、画像表示ユニット１００上を通過するまでに要する時間よりも、長い時間に設定することが好ましい。所定時間をこのような時間に設定することにより、人２０が、一方のセンサユニットを最初に通過してから、画像表示ユニット１００上を通過するまでの間は、画像表示が保証されるため、人２０は、確実に画像表示ユニット１００に表示された画像を視認することができる。
【００５７】
Ｇ．変形例：
なお、本発明は上記した実施例や実施形態に限られるものではなく、その要旨を逸脱しない範囲において種々の態様にて実施することが可能である。
【００５８】
上記した第２の実施例では、図７で説明したとおり、ＣＰＵ１０２は、画像の表示開始から、所定時間経過したかどうかを判定し（ステップＳ２１０）、所定時間経過していたら、画像の表示を終了するようにしていた。しかし、このように、表示開始からの所定時間の経過を検出する代わりに、ＣＰＵ１０２は、人２０の通過を最初に検出したセンサユニットとは別のセンサユニットが、人２０の通過を検出したかどうかを判定し、その別のセンサユニットが人２０の通過を検出したら、画像の表示を終了するようにしてもよい。
【００５９】
上記した実施例では、画像表示ユニット１００において、表示画面に表示される画像の向きを変更する方法として、画像メモリからの画像データの読み出し順序を変える方法を用いることとしたが、本発明は、これに限定されるものではなく、代わりとして、画像メモリへの画像データの書き込み順序を変えるようにしてもよい。また、ディスプレイにおいて画像の走査順序を変更するようにしてもよい。
【００６０】
上記した実施例では、人の通過を検出するのに、圧力センサを利用したが、本発明は、これに限定されるものではなく、例えば、光学式センサや超音波センサや温度センサなど、他のセンサを用いて、人の通過を検出するようにしてもよい。あるいは、カメラなどで撮影し、撮影された画像を解析することによって、人の通過を検出するようにしてもよい。また、人の通過を近接した２箇所以上で検出して、その検出タイミングから、通行する人の向きを検出し、利用するようにしてもよい。また、カメラで撮影された画像を解析して、通行する人の向きを検出するようにしてもよい。
【００６１】
上記した実施例では、画像データを、メモリカードを用いて提供していたが、他の記憶媒体を用いて提供するようにしてもよい。あるいは、外部から、有線や無線などを介して、画像データを提供するようにしてもよい。
【００６２】
上記した実施例では、センサユニットは、画像表示ユニット１００と別体であったが、一体化するようにしてもよい。また、保護板３００は、画像表示ユニット１００と別体であったが、一体化するようにしてもよい。
【００６３】
上記した実施例では、画像表示ユニット１００は、路面に設置されていたが、例えば、ホールや、ロビーや、体育館や、競技場などの床面に設置するようにしてもよい。また、列車やバスの床面など、乗り物の床面に設置するようにしてもよい。
【００６４】
上記した実施例では、センサユニットは、画像表示ユニット１００に対し、その前後に２つ配置されたが、例えば、十字路や、交差点のように、人２０の通行方向が交わるような場所では、図８に示すように、画像表示ユニット１００に対し、その前後左右に４つ配置するようにしてもよい。
【００６５】
図８は本発明の変形例としての画像表示システムを上方から見て示した平面図である。この変形例である画像表示システム４０では、図８に示すように、十字路で、人２０の通行方向が交差しており、画像表示ユニット１００’に対して、その前後左右に、センサユニット２００Ａ，２００Ｂ，２００Ｃ，２００Ｄがそれぞれ配置されている。
【００６６】
この画像表示システム４０の場合も、上記した実施例と同様に、画像表示ユニット１００’において、図７に示すように、路面３０上を人２０が矢印Ａの向きに通行して、センサユニット２００Ａが最初に人２０の通過を検出すると、画像表示ユニット１００’において、画像は矢印ａの向きで表示される。また、路面３０上を人２０が矢印Ｂの向きに通行して、センサユニット２００Ｂが最初に人２０の通過を検出すると、画像表示ユニット１００’において、画像は矢印ｂの向きで表示される。また、路面３０上を人２０が矢印Ｃの向きに通行して、センサユニット２００Ｃが最初に人２０の通過を検出した場合には、画像表示ユニット１００’において、画像は矢印ｃの向きで表示されるようにする。さらに、路面３０上を人２０が矢印Ｄの向きに通行して、センサユニット２００Ｄが最初に人２０の通過を検出した場合、画像表示ユニット１００において、画像は矢印ｄの向きで表示されるようにする。
【００６７】
このように、この変形例においても、路面３０上を通行する人２０の向きに従って、画像表示ユニット１００’に表示される画像の向きを９０度単位で変更することにより、通行する人２０にとっては、画像の向きは正対した向きとなるため、通行する人２０に対して、見やすい表示画像を提供することができる。
【符号の説明】
【００６８】
１０…画像表示システム
２０…人
３０…路面
４０…画像表示システム
１００…画像表示ユニット
１０２…ＣＰＵ
１０４…メモリ
１０６…画像処理回路
１０８…画像メモリ
１１０…Ｉ／Ｏインタフェース回路
１１２…メモリカード
１１４…メモリカードリーダ
１１６…ディスプレイ
２００Ａ，２００Ｂ，２００Ｃ，２００Ｄ…センサユニット
２１０…圧力センサ
２２０…ケーブル
３００…保護板
【図１】
2011064841.tif 000003
【図２】
2011064841.tif 000004
【図３】
2011064841.tif 000005
【図４】
2011064841.tif 000006
【図５】
2011064841.tif 000007
【図６】
2011064841.tif 000008
【図７】
2011064841.tif 000009
【図８】
2011064841.tif 000010